(57)【要約】【課題】生産性の低下を抑制するとともに、コストアップを抑えて仕上がりを良好にすることができる画像処理装置及び画像処理方法を提供する。【解決手段】ＣＰＵ２０１は、ページデータから表面画像を形成するための所定の画像サイズの表面画像データを生成するとともに、表面画像を形成したときに生じる記録媒体の収縮率から特定される縮小率で表面画像データの画像サイズよりも縮小した裏面画像を形成するための裏面画像データをページデータから生成する。ＣＰＵ２０１は、縮小された裏面画像データの画像サイズが表面画像データの画像サイズと同じになるように、裏面画像データに余白領域を付加する。【選択図】図２
2015116709.tif 000002
【特許請求の範囲】
【請求項１】
ページデータから生成された画像データに基づいて、記録媒体の表面にシングルパスでインクを吐出して表面画像を形成した後、記録媒体の表裏を反転させ、記録媒体の裏面にシングルパスでインクを吐出して裏面画像を形成するインクジェット記録装置で使用される前記画像データを生成する画像処理装置において、
前記ページデータから表面画像を形成するための所定の画像サイズの表面画像データを生成するとともに、前記表面画像を形成したときに生じる記録媒体の収縮率から特定される縮小率で前記表面画像データの画像サイズよりも縮小した前記裏面画像を形成するための裏面画像データを前記ページデータから生成する画像処理部と、
縮小された前記裏面画像データの画像サイズが前記表面画像データの画像サイズと同じになるように、前記裏面画像データに余白領域を付加する画像補正部と、
を備えたことを特徴とする画像処理装置。
【請求項２】
前記画像処理部及び前記画像補正部は、前記ページデータからラスター・イメージによる画像データを生成するＲＩＰ処理部に設けられていることを特徴とする請求項１に記載の画像処理装置。
【請求項３】
前記画像補正部による処理はソフトウェアによって実行されることを特徴とする請求項１に記載の画像処理装置。
【請求項４】
前記画像処理部による処理はソフトウェアによって実行されることを特徴とする請求項１又は３に記載の画像処理装置。
【請求項５】
前記画像処理部は、前記表面画像を形成したときに生じる記録媒体の縦方向の収縮率及び横方向の収縮率からそれぞれ特定される縦方向の縮小率及び横方向の縮小率で前記表面画像データの画像サイズよりも縮小した前記裏面画像データを生成することを特徴とする請求項１〜４の何れか一項に記載の画像処理装置。
【請求項６】
前記画像処理部は、画像形成する記録媒体の種類に応じて縮小率を特定することを特徴とする請求項１〜５の何れか一項に記載の画像処理装置。
【請求項７】
前記画像処理部は、画像形成する記録媒体の温度に応じて縮小率を特定することを特徴とする請求項１〜６の何れか一項に記載の画像処理装置。
【請求項８】
前記画像処理部は、記録媒体における表面画像を構成するドット率に応じて縮小率を特定することを特徴とする請求項１〜７の何れか一項に記載の画像処理装置。
【請求項９】
前記画像処理部は、記録媒体に吐出するインクの温度に応じて縮小率を特定することを特徴とする請求項１〜８の何れか一項に記載の画像処理装置。
【請求項１０】
前記画像処理部は、前記ページデータに基づいてページを複数のバンドに分割してバンド単位で画像データの生成処理を行うことにより前記画像データを生成し、
前記画像補正部は、前記バンド単位で前記裏面画像データに余白領域を付加することを特徴とする請求項１〜９の何れか一項に記載の画像処理装置。
【請求項１１】
前記インクジェット記録装置は、所定方向に回転する画像形成ドラムの外周面上に供給された記録媒体の端部を該画像形成ドラムの回転方向とは垂直の方向に延びた爪部により挟持することによって該記録媒体を前記画像形成ドラムに保持させ、該画像形成ドラムに保持された記録媒体にインクを吐出して画像の形成を行うものであり、
前記記録媒体は、前記爪部により挟持される位置から一端までの第１の領域と前記爪部により挟持される位置から他端までの第２の領域とにより構成され、
前記画像処理部は、前記爪部により挟持される位置を基準として前記第１の領域及び前記第２の領域をそれぞれ前記縮小率で縮小した裏面画像データを生成し、
前記画像補正部は、前記第１の領域及び前記第２の領域について、それぞれ縮小した量に応じた余白領域を付加することを特徴とする請求項１〜１０の何れか一項に記載の画像処理装置。
【請求項１２】
請求項１〜１１の何れか一項に記載の画像処理装置を備えたことを特徴とするインクジェット記録装置。
【請求項１３】
ページデータから生成された画像データに基づいて、記録媒体の表面にシングルパスでインクを吐出して表面画像を形成した後、記録媒体の表裏を反転させ、記録媒体の裏面にシングルパスでインクを吐出して裏面画像を形成するインクジェット記録装置で使用される前記画像データを生成する画像処理方法において、
前記ページデータから表面画像を形成するための所定の画像サイズの表面画像データを生成するとともに、前記表面画像を形成したときに生じる記録媒体の収縮率から特定される縮小率で前記表面画像データの画像サイズよりも縮小した前記裏面画像を形成するための裏面画像データを前記ページデータから生成する画像処理ステップと、
縮小された前記裏面画像データの画像サイズが前記表面画像データの画像サイズと同じになるように、前記裏面画像データに余白領域を付加する画像補正ステップと、
を含むことを特徴とする画像処理方法。
【請求項１４】
画像処理ステップ及び画像補正ステップは、前記ページデータからラスター・イメージによる画像データを生成するＲＩＰ処理部において行われることを特徴とする請求項１３に記載の画像処理方法。
【請求項１５】
前記画像補正ステップにおける処理はソフトウェアによって実行されることを特徴とする請求項１３に記載の画像処理方法。
【請求項１６】
前記画像処理ステップにおける処理はソフトウェアによって実行されることを特徴とする請求項１３又は１５に記載の画像処理方法。
【請求項１７】
前記画像処理ステップにおいて、前記表面画像を形成したときに生じる記録媒体の縦方向の収縮率及び横方向の収縮率からそれぞれ特定される縦方向の縮小率及び横方向の縮小率で前記表面画像データの画像サイズよりも縮小した前記裏面画像データを生成することを特徴とする請求項１３〜１６の何れか一項に記載の画像処理方法。
【請求項１８】
前記画像処理ステップにおいて、画像形成する記録媒体の種類に応じて縮小率を特定することを特徴とする請求項１３〜１７の何れか一項に記載の画像処理方法。
【請求項１９】
前記画像処理ステップにおいて、画像形成する記録媒体の温度に応じて縮小率を特定することを特徴とする請求項１３〜１８の何れか一項に記載の画像処理方法。
【請求項２０】
前記画像処理ステップにおいて、記録媒体における表面画像を構成するドット率に応じて縮小率を特定することを特徴とする請求項１３〜１９の何れか一項に記載の画像処理方法。
【請求項２１】
前記画像処理ステップにおいて、記録媒体に吐出するインクの温度に応じて縮小率を特定することを特徴とする請求項１３〜２０の何れか一項に記載の画像処理方法。
【請求項２２】
前記画像処理ステップにおいて、前記ページデータに基づいてページを複数のバンドに分割してバンド単位で画像データの生成処理を行うことにより前記画像データを生成し、
前記画像補正ステップにおいて、前記バンド単位で前記裏面画像データに余白領域を付加することを特徴とする請求項１３〜２１の何れか一項に記載の画像処理方法。
【請求項２３】
前記インクジェット記録装置は、所定方向に回転する画像形成ドラムの外周面上に供給された記録媒体の端部を該画像形成ドラムの回転方向とは垂直の方向に延びた爪部により挟持することによって該記録媒体を前記画像形成ドラムに保持させ、該画像形成ドラムに保持された記録媒体にインクを吐出して画像の形成を行うものであり、
前記記録媒体は、前記爪部により挟持される位置から一端までの第１の領域と前記爪部により挟持される位置から他端までの第２の領域とにより構成され、
前記画像処理ステップにおいて、前記爪部により挟持される位置を基準として前記第１の領域及び前記第２の領域をそれぞれ前記縮小率で縮小した裏面画像の裏面画像データを生成し、
前記画像補正ステップにおいて、前記第１の領域及び前記第２の領域について、それぞれ縮小した量に応じた余白領域を付加することを特徴とする請求項１３〜２２の何れか一項に記載の画像処理方法。
【請求項２４】
前記インクジェット記録装置によって記録媒体の表面に所定のチャート画像を形成するチャート画像形成ステップと、
記録媒体の表面に形成された前記チャート画像を読み取る画像読取ステップと、
読み取った前記チャート画像の画像サイズを検出する画像サイズ検出ステップと、
検出した前記チャート画像の画像サイズに基づいて前記記録媒体の収縮率を求める収縮率算出ステップと、
をさらに含むことを特徴とする請求項１３〜２３の何れか一項に記載の画像処理方法。
【発明の詳細な説明】
【技術分野】
【０００１】
本発明は、画像処理装置、インクジェット記録装置及び画像処理方法に関する。
【背景技術】
【０００２】
従来、用紙等の記録媒体にインクを付与して記録媒体に画像を形成するインクジェット記録装置が知られている。このようなインクジェット記録装置においては、記録媒体の搬送方向とは垂直の方向に延び、記録媒体の幅よりも大きい長さに亘って配列されたノズル列を有する記録ヘッドを備え、記録媒体を搬送させながらインクを吐出することにより画像形成を行ういわゆるシングルパス形式のものがある。シングルパス形式のインクジェット記録装置は、高速で印刷が可能なことから生産性が高いものである。
【０００３】
さらに、このようなシングルパス形式のインクジェット記録装置においては、記録媒体の表面に対して表面画像を形成した後、記録媒体の表裏を反転させ、反転させた記録媒体の裏面に対して裏面画像を形成する両面印刷が可能なものがある。
【０００４】
このような両面印刷が可能なインクジェット記録装置では、表面への画像形成において記録媒体の表面に付与されたインクを硬化又は乾燥させた後に裏面への画像形成が行われる。そのため、インクの硬化又は乾燥の過程で記録媒体の収縮が行われる。したがって、表面画像及び裏面画像をそのままの画像サイズでそれぞれ印刷した場合には、表面画像が記録媒体の収縮に伴って縮小された状態で裏面画像が形成されるため表面画像と裏面画像とで形成された画像のサイズが整合せず、好ましくない仕上がりとなってしまう。
【０００５】
このような問題に鑑み、従来では、記録媒体の収縮率を予め予測しておき、これに基づいて裏面画像を縮小させて印刷することにより、表面画像と裏面画像とで形成された画像のサイズを整合させるようにしたものがある（例えば、特許文献１〜３）。
また、トンボを含む画像を記録媒体の表面及び裏面に形成するものであって、熱負荷による記録媒体の伸縮率を予め記憶しておき、これを考慮して記録媒体の裏面に形成されるトンボの位置を一致させるために余白領域に空白ラインの挿入及び間引きを行うようにしたものがある（例えば、特許文献４）。
【先行技術文献】
【特許文献】
【０００６】
【特許文献１】特開２０１１−１２１２３７号公報
【特許文献２】特開２００１−２８２０４２号公報
【特許文献３】特開２００２−３１４８００号公報
【特許文献４】特開２００８−９３９１１号公報
【発明の概要】
【発明が解決しようとする課題】
【０００７】
しかしながら、上記特許文献の何れも、表面画像と裏面画像とで画像サイズを整合させることができるので、仕上がりを良好なものとすることができるが、裏面画像の画像データは縮小加工されることから、表面画像の画像データにおける画像サイズと裏面画像の画像データにおける画像サイズは異なるものとなる。そのため、これらの画像データを印刷エンジンにそのまま送信して印刷する場合には、印刷条件が異なることによる各種設定の切り替えを行う必要があることから、そのために、例えば、切り替えスイッチや変倍に係るコマンド送受信のための通信モジュール等、印刷エンジンにおけるハードウェア構成の変更が必要となり、コストアップとなってしまう。また、安価なハードウェア構成で実現させるためには表裏で同様の回路構成で実現しようとすると、設定の切り替えを行うために時間がかかるため、印刷速度が低下し、あるいは、印刷を一時停止させなければならないことから、設定データの２面管理が必要となり、生産性を低下させる原因となってしまう。
【０００８】
本発明の課題は、生産性の低下を抑制するとともに、コストアップを抑えて仕上がりを良好にすることができる画像処理装置及び画像処理方法を提供することである。
【課題を解決するための手段】
【０００９】
以上の課題を解決するため、請求項１に記載の発明は、ページデータから生成された画像データに基づいて、記録媒体の表面にシングルパスでインクを吐出して表面画像を形成した後、記録媒体の表裏を反転させ、記録媒体の裏面にシングルパスでインクを吐出して裏面画像を形成するインクジェット記録装置で使用される前記画像データを生成する画像処理装置において、
前記ページデータから表面画像を形成するための所定の画像サイズの表面画像データを生成するとともに、前記表面画像を形成したときに生じる記録媒体の収縮率から特定される縮小率で前記表面画像データの画像サイズよりも縮小した前記裏面画像を形成するための裏面画像データを前記ページデータから生成する画像処理部と、
縮小された前記裏面画像データの画像サイズが前記表面画像データの画像サイズと同じになるように、前記裏面画像データに余白領域を付加する画像補正部と、
を備えたことを特徴とする。
【００１０】
請求項２に記載の発明は、請求項１に記載の画像処理装置において、
前記画像処理部及び前記画像補正部は、前記ページデータからラスター・イメージによる画像データを生成するＲＩＰ処理部に設けられていることを特徴とする。
【００１１】
請求項３に記載の発明は、請求項１に記載の画像処理装置において、
前記画像補正部による処理はソフトウェアによって実行されることを特徴とする。
【００１２】
請求項４に記載の発明は、請求項１又は３に記載の画像処理装置において、
前記画像処理部による処理はソフトウェアによって実行されることを特徴とする。
【００１３】
請求項５に記載の発明は、請求項１〜４の何れか一項に記載の画像処理装置において、
前記画像処理部は、前記表面画像を形成したときに生じる記録媒体の縦方向の収縮率及び横方向の収縮率からそれぞれ特定される縦方向の縮小率及び横方向の縮小率で前記表面画像データの画像サイズよりも縮小した前記裏面画像データを生成することを特徴とする。
【００１４】
請求項６に記載の発明は、請求項１〜５の何れか一項に記載の画像処理装置において、
前記画像処理部は、画像形成する記録媒体の種類に応じて縮小率を特定することを特徴とする。
【００１５】
請求項７に記載の発明は、請求項１〜６の何れか一項に記載の画像処理装置において、
前記画像処理部は、画像形成する記録媒体の温度に応じて縮小率を特定することを特徴とする。
【００１６】
請求項８に記載の発明は、請求項１〜７の何れか一項に記載の画像処理装置において、
前記画像処理部は、記録媒体における表面画像を構成するドット率に応じて縮小率を特定することを特徴とする。
【００１７】
請求項９に記載の発明は、請求項１〜８の何れか一項に記載の画像処理装置において、
前記画像処理部は、記録媒体に吐出するインクの温度に応じて縮小率を特定することを特徴とする。
【００１８】
請求項１０に記載の発明は、請求項１〜９の何れか一項に記載の画像処理装置において、
前記画像処理部は、前記ページデータに基づいてページを複数のバンドに分割してバンド単位で画像データの生成処理を行うことにより前記画像データを生成し、
前記画像補正部は、前記バンド単位で前記裏面画像データに余白領域を付加することを特徴とする。
【００１９】
請求項１１に記載の発明は、請求項１〜１０の何れか一項に記載の画像処理装置において、
前記インクジェット記録装置は、所定方向に回転する画像形成ドラムの外周面上に供給された記録媒体の端部を該画像形成ドラムの回転方向とは垂直の方向に延びた爪部により挟持することによって該記録媒体を前記画像形成ドラムに保持させ、該画像形成ドラムに保持された記録媒体にインクを吐出して画像の形成を行うものであり、
前記記録媒体は、前記爪部により挟持される位置から一端までの第１の領域と前記爪部により挟持される位置から他端までの第２の領域とにより構成され、
前記画像処理部は、前記爪部により挟持される位置を基準として前記第１の領域及び前記第２の領域をそれぞれ前記縮小率で縮小した裏面画像データを生成し、
前記画像補正部は、前記第１の領域及び前記第２の領域について、それぞれ縮小した量に応じた余白領域を付加することを特徴とする。
【００２０】
請求項１２に記載の発明は、インクジェット記録装置において、
請求項１〜１１の何れか一項に記載の画像処理装置を備えたことを特徴とする。
【００２１】
請求項１３に記載の発明は、画像処理方法において、
ページデータから生成された画像データに基づいて、記録媒体の表面にシングルパスでインクを吐出して表面画像を形成した後、記録媒体の表裏を反転させ、記録媒体の裏面にシングルパスでインクを吐出して裏面画像を形成するインクジェット記録装置で使用される前記画像データを生成する画像処理方法において、
前記ページデータから表面画像を形成するための所定の画像サイズの表面画像データを生成するとともに、前記表面画像を形成したときに生じる記録媒体の収縮率から特定される縮小率で前記表面画像データの画像サイズよりも縮小した前記裏面画像を形成するための裏面画像データを前記ページデータから生成する画像処理ステップと、
縮小された前記裏面画像データの画像サイズが前記表面画像データの画像サイズと同じになるように、前記裏面画像データに余白領域を付加する画像補正ステップと、
を含むことを特徴とする。
【００２２】
請求項１４に記載の発明は、請求項１３に記載の画像処理方法において、
画像処理ステップ及び画像補正ステップは、前記ページデータからラスター・イメージによる画像データを生成するＲＩＰ処理部において行われることを特徴とする。
【００２３】
請求項１５に記載の発明は、請求項１３に記載の画像処理方法において、
前記画像補正ステップにおける処理はソフトウェアによって実行されることを特徴とする。
【００２４】
請求項１６に記載の発明は、請求項１３又は１５に記載の画像処理方法において、
前記画像処理ステップにおける処理はソフトウェアによって実行されることを特徴とする。
【００２５】
請求項１７に記載の発明は、請求項１３〜１６の何れか一項に記載の画像処理方法において、
前記画像処理ステップにおいて、前記表面画像を形成したときに生じる記録媒体の縦方向の収縮率及び横方向の収縮率からそれぞれ特定される縦方向の縮小率及び横方向の縮小率で前記表面画像データの画像サイズよりも縮小した前記裏面画像データを生成することを特徴とする。
【００２６】
請求項１８に記載の発明は、請求項１３〜１７の何れか一項に記載の画像処理方法において、
前記画像処理ステップにおいて、画像形成する記録媒体の種類に応じて縮小率を特定することを特徴とする。
【００２７】
請求項１９に記載の発明は、請求項１３〜１８の何れか一項に記載の画像処理方法において、
前記画像処理ステップにおいて、画像形成する記録媒体の温度に応じて縮小率を特定することを特徴とする。
【００２８】
請求項２０に記載の発明は、請求項１３〜１９の何れか一項に記載の画像処理方法において、
前記画像処理ステップにおいて、記録媒体における表面画像を構成するドット率に応じて縮小率を特定することを特徴とする。
【００２９】
請求項２１に記載の発明は、請求項１３〜２０の何れか一項に記載の画像処理方法において、
前記画像処理ステップにおいて、記録媒体に吐出するインクの温度に応じて縮小率を特定することを特徴とする。
【００３０】
請求項２２に記載の発明は、請求項１３〜２１の何れか一項に記載の画像処理方法において、
前記画像処理ステップにおいて、前記ページデータに基づいてページを複数のバンドに分割してバンド単位で画像データの生成処理を行うことにより前記画像データを生成し、
前記画像補正ステップにおいて、前記バンド単位で前記裏面画像データに余白領域を付加することを特徴とする。
【００３１】
請求項２３に記載の発明は、請求項１３〜２２の何れか一項に記載の画像処理方法において、
前記インクジェット記録装置は、所定方向に回転する画像形成ドラムの外周面上に供給された記録媒体の端部を該画像形成ドラムの回転方向とは垂直の方向に延びた爪部により挟持することによって該記録媒体を前記画像形成ドラムに保持させ、該画像形成ドラムに保持された記録媒体にインクを吐出して画像の形成を行うものであり、
前記記録媒体は、前記爪部により挟持される位置から一端までの第１の領域と前記爪部により挟持される位置から他端までの第２の領域とにより構成され、
前記画像処理ステップにおいて、前記爪部により挟持される位置を基準として前記第１の領域及び前記第２の領域をそれぞれ前記縮小率で縮小した裏面画像の裏面画像データを生成し、
前記画像補正ステップにおいて、前記第１の領域及び前記第２の領域について、それぞれ縮小した量に応じた余白領域を付加することを特徴とする。
【００３２】
請求項２４に記載の発明は、請求項１３〜２３の何れか一項に記載の画像処理方法において、
前記インクジェット記録装置によって記録媒体の表面に所定のチャート画像を形成するチャート画像形成ステップと、
記録媒体の表面に形成された前記チャート画像を読み取る画像読取ステップと、
読み取った前記チャート画像の画像サイズを検出する画像サイズ検出ステップと、
検出した前記チャート画像の画像サイズに基づいて前記記録媒体の収縮率を求める収縮率算出ステップと、
をさらに含むことを特徴とする。
【発明の効果】
【００３３】
本発明によれば、生産性の低下を抑制するとともに、コストアップを抑えて仕上がりを良好にすることができる。
【図面の簡単な説明】
【００３４】
【図１】本実施の形態に係る画像形成システムのシステム構成図である。
【図２】コントローラーの機能的構成を示すブロック図である。
【図３】ＲＩＰ処理部の機能的構成を示すブロック図である。
【図４】画像形成について説明する概略ブロック図である。
【図５】インクジェット記録装置の主要構成を示す図である。
【図６】ドラムの外観を示す斜視図である。
【図７】ヘッドユニットの内部構成を示す図である。
【図８】ドラムとクリーニング部との位置関係及びヘッドユニットの移動前後の位置を示す斜視図である。
【図９】インクジェット記録装置の機能的構成を示すブロック図である。
【図１０】表面画像が収縮する現象について説明する図である。
【図１１】裏面画像データへの余白領域の付加について説明する図である。
【図１２】裏面変倍率テーブルについて説明する図である。
【図１３】裏面変倍率テーブルの作成要領について説明するフローチャートである。
【図１４】画像データを生成する処理について説明するフローチャートである。
【図１５】裏面画像データへの余白領域の付加についての別の態様について説明する図である。
【図１６】表面画像が収縮する現象について説明する図である。
【図１７】裏面画像データへの余白領域の付加についての別の態様について説明する図である。
【発明を実施するための形態】
【００３５】
以下、本発明の実施の形態に係る画像形成システムについて、図面を参照して説明する。ただし、発明の範囲は図示例に限定されない。なお、以下の説明において、同一の機能及び構成を有するものについては、同一の符号を付し、その説明を省略する。
【００３６】
図１は、本実施の形態に係る画像形成システム１０００の構成の一態様である。画像形成システム１０００は、例えば、クライアントＰＣ１０と、コントローラー２０と、インクジェット記録装置３０とを備えて構成されている。
【００３７】
クライアントＰＣ１０は、ネットワークＮを介してコントローラー２０にページデータを送信する機能を有する。クライアントＰＣ１０には、プリンタドライバプログラム（以下、プリンタドライバと称することがある。）がインストールされている。クライアントＰＣ１０は、このプリンタドライバの機能を用いて画像形成時に適用されるプリント条件のデータ（印刷要求データ等）、ページ印刷用制御データ（画像データ等）等を含んだページデータを生成しコントローラー２０に送信する。ページデータとして例えばＰＳ（PostScript：ポストスクリプト（登録商標））や、ＰＣＬ（Printer Control Language）、ＰＤＦ（Portable Document Format）、ＸＰＳ（XML Paper Specification）といったページ記述言語（ＰＤＬ：Page Description Language）のデータである。ページデータとしては、上記に限定されず、例えば、ビットマップデータ等のデータを用いることができる。また、ページデータは、ページ単位のデータに限定されず、行単位のデータとしてもよい。
【００３８】
画像処理装置としてのコントローラー２０は、ＰＣ（Personal Computer）である。コントローラー２０は、ネットワークＮを介して接続されたクライアントＰＣ１０よりページデータを取得する。そして、コントローラー２０は、取得したページデータに基づいてＲＩＰ（Raster Image Processer）処理を行い、ラスター・イメージによる画像データを生成し、インクジェット記録装置３０に出力する。
【００３９】
コントローラー２０は、例えば、図２に示すように、ＣＰＵ（Central Processing Unit）２０１と、ＲＡＭ（Random Access Memory）２０２と、ＲＯＭ（Read Only Memory）２０３と、操作部２０４と、表示部２０５と、記憶部２０６と、通信部２０７と、Ｉ／Ｆ（InterFace）２０８と、を含んで構成されている。
【００４０】
ＣＰＵ２０１は、ＲＯＭ２０３に記憶された各種プログラムを実行する。さらに、ＣＰＵ２０１は、当該実行に係るプログラムに基づいて各部に出力信号を出力し、コントローラー２０の動作全般を統括制御する。
【００４１】
また、ＣＰＵ２０１は、ＲＩＰ処理部２１１を備えており、クライアントＰＣ１０から取得したページデータに基づいてＲＩＰ処理を行う。ＲＩＰ処理部２１１の詳細については後述する。
【００４２】
ＲＡＭ２０２は、ＣＰＵ２０１により実行される各種プログラム及び当該プログラムに係るデータを一時的に記憶するためのワークエリアを形成する。
【００４３】
ＲＯＭ２０３は、不揮発性の半導体メモリ等で構成される。ＲＯＭ２０３は、ＣＰＵ２０１が実行する各種プログラムを、当該ＣＰＵ２０１が読み取り可能なプログラムコードの形態で格納する媒体である。また、ＲＯＭ２０３は、ＣＰＵ２０１が当該プログラムの実行に必要とするパラメーターやファイル等を記憶する。
【００４４】
操作部２０４は、カーソルキー、文字入力キー及び各種機能キーを備えたキーボードと、マウス等のポインティングデバイスと、を備える。操作部２０４は、ユーザーによる操作入力を受け付けるのと、操作内容に応じた操作信号をＣＰＵ２０１に出力する。
【００４５】
表示部２０５は、ＬＣＤ（Liquid Crystal Display）等で構成される。表示部２０５は、ＣＰＵ２０１からの指示に従って、各種操作画面や各種処理結果を表示する。
【００４６】
記憶部２０６は、ＨＤＤ（Hard Disk Drive）等の記憶装置である。記憶部２０６は、例えば、入力デバイスの色値から出力デバイスとしてのインクジェット記録装置３０の色値に変換するためのデバイスリンクプロファイルや、後述する裏面変倍率テーブル（図１２参照）等が記憶されている。
【００４７】
通信部２０７は、ネットワークインターフェースカード等の通信用のインターフェイスを備え、クライアントＰＣ１０等の外部装置とネットワークＮを介して通信を行う。
【００４８】
Ｉ／Ｆ２０８は、インクジェット記録装置３０とＣＰＵ２０１との間でデータのやり取りを行うためのインターフェイスである。
【００４９】
次に、ＲＩＰ処理部２１１について、図３を参照しながら説明する。
ＲＩＰ処理部２１１は、図３に示すように、ＰＤＬ解析処理部２１１ａ、画像処理部２１１ｂ、変倍処理部２１１ｃ、画像補正部２１１ｄ及び色変換部２１１ｅを備えている。
【００５０】
ＰＤＬ解析処理部２１１ａは、クライアントＰＣ１０から受信されたページデータに含まれるＰＤＬのコマンドを解析し、描画オブジェクトの属性情報（座標、色値等）を含む中間データに変換する。
【００５１】
画像処理部２１１ｂは、中間データを参照し、描画オブジェクトの属性情報に基づいて、解像度、印字領域等、出力デバイスの特性に合わせた条件で描画処理を行い、ラスター・イメージによる画像データを生成する。
【００５２】
変倍処理部２１１ｃは、後述する裏面変倍率テーブルを参照し、当該テーブルに記述された変倍率でラスター化された画像データに対して縮小する処理を行う。本実施の形態では、用紙等の記録媒体の表面及び裏面に画像を形成する両面印刷を実施する場合に、表面に対する画像形成の過程で記録媒体の収縮が生じるが、裏面に形成する画像を、収縮される表面の画像に整合させるため、記録媒体の収縮率に応じて裏面に形成する画像の画像データを縮小する処理を行う。画像データの縮小は、例えば、画像データの中心を基準として行う。
【００５３】
画像補正部２１１ｄは、変倍処理部２１１ｃにより画像サイズが縮小された画像データを所定の画像サイズにするために、印刷を行わない白画像のデータからなる余白領域を当該画像データに付加して画像データを補正する処理を行う。本実施の形態では、このようにして画像データを補正することにより、変倍処理部２１１ｃによって縮小された裏面の画像データの画像サイズを、表面の画像データの画像サイズに合わせることができる。
さらに、上述したように、表裏の画像サイズを合わせてから、画像処理装置からインクジェット記録装置３０へ該画像データを入力するようにすると、画像サイズが異なることにより必要となる各種の切替設定等が不要となり、このためのハードウェア構成の変更が不要となり、コストアップを抑制することができる。
なお、電子写真方式で画像の倍率変更をエンジン側で実現する場合、ポリゴンの回転速度や、ドラム回転速度の調整で実現が比較的容易に可能であるが、インクジェットシングルパス方式では、入力画像に対して適切な間引き処理を行うロジックを開発する必要があり、ハードウェアで実現するためには大きなコスト負担、ソフトウェアで実施する場合には、大きな処理負担となる。
また、表裏の画像サイズを同一とすることに加えて１ジョブ中においてクライアントＰＣ１０からコントローラー２０に送信されるページデータの画像サイズが同一となるようにすることにより、さらにハードウェアのコストを低減することができる。
【００５４】
色変換部２１１ｅは、上述したようにして生成された画像データに記述された色値を印刷用の色空間の色値に色変換する。
【００５５】
ＲＩＰ処理部２１１は、ＣＰＵ２０１により制御されるが、専用のハードウェアにより実現されることとしてもよい。
【００５６】
次に、画像処理装置以降のインクジェット記録装置３０において行われる画像形成を実行するための処理手順について、図４を参照しながら説明する。本実施の形態における画像形成は、図４に示すような各部機能により実現される。
なお、本実施の形態では、後述する制御部３２５（図９参照）がハードウェア処理によって以下に示す各部機能を実現し、各部を機能させるための回路や専用のプロセッサ等を備える構成としたが、一部又は全てをソフトウェア処理によって実現するように構成してもよい。
また、以下の処理をインクジェット記録装置３０において行う構成としたが、一部をコントローラー２０において行う構成としてもよい。
【００５７】
図４に示すように、制御部３２５は、インク量制限部３２５ａ、エッジ検出部３２５ｂ、歪み補正部３２５ｃ、シェーディング補正部３２５ｄ、１次ガンマ補正部３２５ｅ、ハーフトーン処理部３２５ｆ、繋ぎ補正部３２５ｇ、ノズル欠補正部３２５ｈ、搬送方向補正部３２５ｉ及び画像形成処理部３２５ｊを備えている。制御部３２５は、入力した画像データを画像形成部３０２のヘッドユニット３０２ａ（図５参照）毎の画像データである吐出画像データに変換した後、各吐出画像データに対してインク量制限部３２５ａ、エッジ検出部３２５ｂ、歪み補正部３２５ｃ、シェーディング補正部３２５ｄ、１次ガンマ補正部３２５ｅ、ハーフトーン処理部３２５ｆ、繋ぎ補正部３２５ｇ、ノズル欠補正部３２５ｈ及び搬送方向補正部３２５ｉの各機能部による補正を行った後、画像形成処理部３２５ｊによる画像形成処理を実行する。
【００５８】
インク量制限部３２５ａは、ＹＭＣＫの各色のインクの量を制限する。具体的には、例えば、インク量制限部３２５ａは、各色のインクの量が最大４００％とされているものを、色再現精度を維持しながら各色のインクの量を、例えば、最大３２０％に制限する等の補正を行う。なお、各色のインクの量の制限の程度は任意に設定することができる。
【００５９】
エッジ検出部３２５ｂは、ハーフトーン処理を行う際にエッジ部分を保存するためのＴａｇ情報を生成する。
【００６０】
歪み補正部３２５ｃは、記録ヘッド３７１（図７参照）の位置ずれによって生じる画像の歪みを補正する。
【００６１】
シェーディング補正部３２５ｄは、記録ヘッド３７１毎のインクの吐出量の相違、インクの飛行曲り、ノズル毎のインクの吐出量のばらつき等により生ずる濃度の不均一を補正する。
【００６２】
１次ガンマ補正部３２５ｅは、ハーフトーン処理を行った際に生じるドットゲインを抑制するためのガンマ補正を行う。
【００６３】
ハーフトーン処理部３２５ｆは、ＡＭスクリーンやＦＭスクリーンを用いたハーフトーン処理を行う。
【００６４】
繋ぎ補正部３２５ｇは、記録ヘッド３７１の繋ぎ部分における記録ヘッド３７１間のノズルの対応関係についての設定を行う。
【００６５】
ノズル欠補正部３２５ｈは、ノズルの吐出不良を検出し、これに基づいて画像データの補完を行う。
【００６６】
搬送方向補正部３２５ｉは、ノズル毎のインクの吐出速度のばらつきによる着弾ずれを補正する。
【００６７】
画像形成処理部３２５ｊは、上述したようにして各種補正が実施された画像データに基づき、画像形成部３０２を制御して記録媒体Ｐ上に画像を形成する。
【００６８】
なお、コントローラー２０からインクジェット記録装置３０に画像データを出力する前にＲＩＰ処理部２１１における画像補正部２１１ｄによって裏面画像データの画像サイズが表面画像データの画像サイズと同じとなっているので、インクジェット記録装置３０の上述した処理において画像サイズの相違による設定変更等が必要なく、設定変更に係る時間がかからないので生産性の低下を防止することができる。また、インクジェット記録装置３０の制御部３２５における処理の一部又は全てをハードウェアによって処理を実行している場合、コントローラー２０において表面画像データの画像サイズと同じ画像サイズの裏面画像データがインクジェット記録装置３０に出力されるので、インクジェット記録装置３０の制御部３２５に係る回路構成等の設計変更を行う必要がなく、コストを削減することができる。
【００６９】
また、コントローラー２０においても裏面画像データの画像サイズを表面画像データの画像サイズに合わせる処理を行う画像補正部２１１ｄにおいて回路構成等の設計変更によるコストを低減する観点から、画像補正部２１１ｄにおける処理をソフトウェアによって実行することが好ましい。ソフトウェアに裏面画像データの画像サイズを表面画像データの画像サイズに合わせる処理を行わせることによって、例えば、裏面の縮小率が変動し、画像サイズを合せるために付加する余白領域が変化する場合においてもソフトウェアを動作させるプログラム等を変更すればよく、付加する余白領域の変化に対応して回路等を構成しておく必要がなく、コストを削減することができる。
さらに、画像処理部２１１ｂにおける処理をソフトウェアによって実行するように構成しておくと、表面に対して裏面の縮小率が変動した場合でも、縮小率に応じて回路を設ける必要がない上に設定を切り替える必要がないので、コスト及び処理量の低減の観点から好ましい。
【００７０】
次に、インクジェット記録装置３０の主要構成について、図５を参照しながら説明する。
インクジェット記録装置３０は、図５に示すように、供給部３２、本体部３１及び排出部３３を備える。供給部３２、本体部３１及び排出部３３は、所定の方向（図５に示すＡ方向）に沿って並設されている。
【００７１】
供給部３２は、本体部３１に設けられた画像形成部３０２により画像が形成される記録媒体Ｐ（例えば、用紙等）を収容するとともに、記録媒体Ｐを一枚ずつ本体部３１に供給する。
【００７２】
本体部３１は、供給部３２から供給された記録媒体Ｐに対して画像を形成し、排出部３３に排出する。
【００７３】
本体部３１は、記録媒体Ｐを搬送する搬送部３０１と、記録媒体Ｐに画像を形成する画像形成部３０２と、画像形成部３０２により画像が形成された記録媒体Ｐにエネルギーを照射する照射部３０３と、搬送部３０１に搬送される記録媒体Ｐ上の画像を読み取る読取部３０４と、搬送部３０１に搬送される記録媒体Ｐを加熱するヒーター３０５とを備える。
【００７４】
搬送部３０１は、ヒーター３０５、画像形成部３０２、照射部３０３及び読取部３０４に記録媒体Ｐを搬送する。
具体的には、搬送部３０１は、例えば、円筒状のドラム３０１ａを有する。ドラム３０１ａは、円筒の円中心を通る軸を中心に回転可能に設けられて、ドラム３０１ａの円筒状の外周面で記録媒体Ｐを担持する。搬送部３０１は、ドラム３０１ａを回転させることで、外周面に担持された記録媒体Ｐの一面をヒーター３０５、画像形成部３０２、照射部３０３及び読取部３０４に対向させながら搬送する。
画像形成部３０２、照射部３０３、読取部３０４及びヒーター３０５は、回転するドラム３０１ａの外周面が通過する位置の近傍に、当該外周面に沿って設けられる。具体的には、ヒーター３０５、画像形成部３０２、照射部３０３及び読取部３０４は、図５に示すように、ドラム３０１ａの外周面の通過により記録媒体Ｐが搬送される搬送経路のうち、供給部３２から供給された記録媒体Ｐを排出部３３側に搬送する搬送経路に沿って、上流側から下流側に向かって、ヒーター３０５、画像形成部３０２、照射部３０３及び読取部３０４の順に設けられる。
【００７５】
ここで、ドラム３０１ａの具体的構成について、図６を参照しながら説明する。
ドラム３０１ａは、その外周面上で記録媒体Ｐを担持するための爪部３５１及び吸気部３５２を備える。
爪部３５１は、図６に示すように、ドラム３０１ａの外周面上の所定位置において円筒状のドラム３０１ａの回転軸方向（Ｘ方向）に沿って設けられた複数の爪を有する。爪部３５１は、ドラム３０１ａの外周面と協働して記録媒体Ｐの先端近傍を挟持する。
吸気部３５２は、図６に示すように、爪部３５１によって先端近傍が挟持された記録媒体Ｐが沿うドラム３０１ａの外周面上に設けられた複数の吸気孔と、当該吸気孔を介してドラム３０１ａ内に気体を吸引するように吸引力を生じさせる図示しない吸引力発生部（例えば、空気ポンプやファン等）を有する。すなわち、吸気部３５２は、吸気孔からの吸気により生じる吸引力により、記録媒体Ｐをドラム３０１ａの外周面に沿わせるように吸い寄せる。
なお、図６では、記録媒体Ｐの一部がドラム３０１ａの外周面からめくり上がっているが、これは吸気孔を図示することを目的としたものであり、画像形成部３０２による画像形成時には記録媒体Ｐの全体がドラム３０１ａの外周面上に沿うように担持される。
【００７６】
図５に示すように、搬送部３０１は、ドラム３０１ａの回転角度を検知する検知部３０１ｂ（図９参照）を有し、検知部３０１ｂにより検知されたドラム３０１ａの回転角度により、ドラム３０１ａの外周面に担持されて搬送される記録媒体Ｐの位置を検知可能に設けられている。検知部３０１ｂは、例えば、ドラム３０１ａの回転軸に設けられたエンコーダーであるが、一例であってこれに限られるものでなく、ドラム３０１ａの回転角度を検知可能な構成であれば何れのものであってもよい。
【００７７】
また、搬送部３０１は、記録媒体Ｐの表裏を反転させる機構を有している。
具体的には、搬送部３０１は、例えば、図５に示すように、スイッチバック部３１５を有する。スイッチバック部３１５は、スイッチバックにより記録媒体Ｐの表裏を反転して搬送する。
【００７８】
より具体的には、スイッチバック部３１５は、例えば、図５に示す２つのシリンダー（第１シリンダー３１５ａ、第２シリンダー３１５ｂ）と一対のベルトループ（ベルトループ３１５ｃ）とを有して構成されている。
記録媒体Ｐは、ドラム３０１ａから図５における時計方向に回転するシリンダー３１１を介して図５における反時計方向に回転する第１シリンダー３１５ａに受け渡され、続いて図５における時計方向に回転する第２シリンダー３１５ｂに受け渡される。記録媒体Ｐの後端が第２シリンダー３１５ｂと図５における反時計方向に周回するベルトループ３１５ｃのニップ部近傍に到達すると、ベルトループ３１５ｃは図５における時計方向に逆転し、記録媒体Ｐを吸着してドラム３０１ａまで搬送する。ここで、ベルトループ３１５ｃによりドラム３０１ａに戻された記録媒体Ｐは、画像が形成された面がドラム３０１ａの外周面に当接する状態でドラム３０１ａに再び担持される。すなわち、記録媒体Ｐは、スイッチバック部３１５により表裏が反転される。また、ドラム３０１ａに戻された記録媒体Ｐの搬送方向に沿った先端部は、戻される前にドラム３０１ａにより搬送されていたときの後端部となる。すなわち、記録媒体Ｐは、スイッチバック部３１５により反転するように搬送されることで表裏が反転した状態となる。
このように、搬送部３０１は、スイッチバック部３１５により記録媒体Ｐの両面を順次画像形成部３０２に対向させて搬送することが可能に設けられている。
【００７９】
スイッチバック部３１５の第１シリンダー３１５ａがドラム３０１ａから記録媒体Ｐの搬送を引き継ぐ位置は、記録媒体Ｐの搬送方向における照射部３０３の下流側である。また、ベルトループ３１５ｃがドラム３０１ａに記録媒体Ｐを戻すことで、戻された記録媒体Ｐは、画像形成部３０２の上流側から再度画像形成部３０２に搬送されることとなる。
【００８０】
画像形成部３０２は、記録媒体Ｐに画像を形成する。
具体的には、画像形成部３０２は、例えば、ドラム３０１ａに担持された記録媒体Ｐにインクを吐出する複数のヘッドユニット３０２ａを有する。ヘッドユニット３０２ａは、記録媒体Ｐに吐出されるインクの色（例えば、シアン（Ｃ）、マゼンタ（Ｍ）、イエロー（Ｙ）、ブラック（Ｋ）の４色）毎に個別に設けられ、搬送方向に沿って並設されている。係るヘッドユニット３０２ａを有する画像形成部３０２は、インクの吐出により記録媒体Ｐに画像を形成する。
【００８１】
ここで、ヘッドユニット３０２ａの具体的構成について、図７を参照しながら説明する。図７は、ヘッドユニット３０２ａの内部構成を示す図である。図７（Ａ）は、ヘッドユニット３０２ａを側方から見た場合の内部構成の概略図である。図７（Ｂ）は、ヘッドユニット３０２ａを上方から見た場合の内部構成の概略図である。なお、ここでいう上方とは、ドラム３０１ａの外周面と対向するヘッドユニット３０２ａの一面（下面）側をヘッドユニット３０２ａの下方としている。また、側方から見た場合とは、ヘッドユニット３０２ａの上下方向及びＸ方向に沿うヘッドユニット３０２ａの一側面を正面としてヘッドユニット３０２ａを見た場合を指す。
【００８２】
ヘッドユニット３０２ａは、ドラム３０１ａに対して所定距離をおいてドラム３０１ａの外周面に沿うように配置される。
また、図７（Ａ）及び図７（Ｂ）に示すように、ヘッドユニット３０２ａは、複数の記録ヘッド３７１と、各記録ヘッド３７１に供給するインクを貯留するインクタンク３７２と、インクタンク３７２から各記録ヘッド３７１に通じる図示しないインク経路において吐出前のインクを加熱により温度調整するインクヒーター３７３とを有している。
【００８３】
記録ヘッド３７１は、ドラム３０１ａの回転軸方向（Ｘ方向）に平行な方向であって、記録媒体Ｐの搬送方向に直交する方向に沿って並んだ複数のノズル３７１ａを有する。記録ヘッド３７１は、複数のノズル３７１ａから選択的にインクを吐出し、ドラム３０１ａに担持された記録媒体Ｐに画像を形成する。すなわち、記録ヘッド３７１は、複数のノズル３７１ａがヘッドユニット３０２ａの下面側に露出するように設けられる。図７（Ｂ）に示す記録ヘッド３７１は、Ｘ方向に沿うノズルの列が２列設けられた配置の複数のノズル３７１ａを有する。
【００８４】
複数の記録ヘッド３７１は、例えば、図７（Ｂ）に示すように、２つの記録ヘッド３７１を一組とし、記録ヘッド３７１の各組がＸ方向に沿って複数設けられた記録ヘッド３７１の列をなすように配置されている。さらに、記録ヘッド３７１の列は複数設けられ、隣接する列の記録ヘッド３７１の組どうしの位置関係がＸ方向に直交する方向（搬送方向Ｆ）について千鳥状となるように配置されている。
【００８５】
インクタンク３７２から各記録ヘッド３７１に至るインク経路には、供給圧力の調整機構が設けられ、各記録ヘッド３７１のノズル３７１ａからインクがこぼれ出ないように、大気圧よりも若干低い圧力に供給圧力が調整されている。
インクヒーター３７３は、供給されるインクの温度を検出する温度センサーが併設されており、供給されるインク温度を監視しつつ、適正な温度となるように制御されている。なお、本実施の形態では、インクの温度は使用するインクの種類や色によって異ならせているが、インクの温度はインクの性質に応じて適宜の温度に設定されることが好ましい。
【００８６】
また、ヘッドユニット３０２ａは、前述したように、画像形成に用いられる各色（ＹＭＣＫ）について個別に設けられる。図５に示すインクジェット記録装置３０には、ドラム３０１ａの回転に伴い搬送される記録媒体Ｐの搬送方向に沿って、上流から、Ｙ、Ｍ、Ｃ、Ｋの色の順に、各色に対応したヘッドユニット３０２ａが設けられている。
また、図８に示すように、ヘッドユニット３０２ａのＸ方向の幅は、ドラム３０１ａにより担持、搬送される記録媒体ＰのＸ方向の幅を十分カバーできる幅（例えば、ドラム３０１ａの幅より小さいがこれに近い幅）に設定されており、画像形成に際してヘッドユニット３０２ａはドラム３０１ａに対して位置が固定される。すなわち、インクジェット記録装置３０は、ワンパス方式のインクジェット記録装置であり、ヘッドユニット３０２ａは、Ｘ方向に沿って並んで配置された複数の記録ヘッド３７１による複数のノズル３７１ａが、画像形成の際に記録ヘッド３７１と記録媒体Ｐとが相対的に移動する方向に直交する方向（Ｘ方向）について、記録媒体Ｐ上に形成される画像の幅に応じた数となるよう設けられる。
【００８７】
また、画像形成部３０２は、図８に示すように、クリーニング部３６０が設けられている。
４つのヘッドユニット３０２ａは、画像形成部３０２内において、それぞれがＸ方向に沿って個別に移動可能に支持されている。具体的には、ヘッドユニット３０２ａは、図８に示すように、Ｘ方向に沿って並ぶドラム３０１ａとクリーニング部３６０との間を移動可能に設けられている。ヘッドユニット３０２ａは、画像形成の際に、下面がドラム３０１ａと対向する位置に移動し、各種のメンテナンスの際に、下面がクリーニング部３６０と対向する位置に移動する。
クリーニング部３６０は、メンテナンスの際にヘッドユニット３０２ａから吐出されたインクを受け止めて集約する図示しない廃インク部等を有し、メンテナンスの際にヘッドユニット３０２ａから吐出されたインクにより画像形成部３０２内が汚損されることを防止する。
【００８８】
図５に示すように、照射部３０３は、例えば、高圧水銀ランプ等のランプを有し、当該ランプの発光により紫外線等のエネルギー線を照射する。照射部３０３は、ドラム３０１ａの外周面の近傍であって、ドラム３０１ａの回転による記録媒体Ｐの搬送方向について各ヘッドユニット３０２ａの下流側に位置するよう設けられる。照射部３０３は、ドラム３０１ａに担持されてインクが吐出された記録媒体Ｐに対してエネルギー線を照射して当該エネルギー線の作用により記録媒体Ｐ上のインクを硬化させる。
なお、紫外線を発するランプは高圧水銀ランプに限らず、数百［Ｐａ］〜１メガ［Ｐａ］程度の動作圧力を有する水銀ランプ、殺菌灯として利用可能な光源、冷陰極管、紫外線レーザー光源、メタルハライドランプ、発光ダイオード等が挙げられるが、紫外線をより高照度で照射可能であって省電力な光源（例えば、発光ダイオード等）であることが望ましい。また、エネルギー線は紫外線に限らず、インクの性質に応じてインクを硬化させる性質を有するエネルギー線であればよく、光源もエネルギー線に応じて置換される。
【００８９】
読取部３０４は、搬送部３０１に搬送される記録媒体Ｐ上に形成された画像を読み取る。
具体的には、読取部３０４は、例えば、ＣＣＤ（Charge Coupled Device）イメージセンサー等の撮像素子、記録媒体Ｐを照らす照明、撮像素子と記録媒体Ｐとの射線上に設けられるレンズ等を有し、照明により照らされた記録媒体Ｐからの反射光を撮像素子により検知して、検知結果に応じた電気信号を出力する。読取部３０４の撮像素子から出力された電気信号に基づいて、読取結果に応じたデータが生成され、読取結果として処理される。
【００９０】
ヒーター３０５は、例えば、赤外線照射を行う非接触型のハロゲンランプ等からなるランプヒーターであり、ランプヒーターからの照射光を一様にドラム３０１ａの外周面に対する垂直方向となるように反射する反射板を有しており、効率良くドラム３０１ａの外周面上を照射して加熱する。
このヒーター３０５は、ドラム３０１ａの外周面における供給部３２から記録媒体Ｐが供給される位置よりも搬送方向下流側であって、各ヘッドユニット３０２ａよりも搬送方向上流側に位置している。つまり、このヒーター３０５は、ドラム３０１ａの外周面上の画像形成前の記録媒体Ｐを加熱するために設けられている。
ヒーター３０５は、使用される記録媒体Ｐの種類に応じて加熱温度が変化するように制御される。
【００９１】
排出部３３は、本体部３１のドラム３０１ａからシリンダー３１１、ベルトループ３１２、排出切替ガイド３１３を介して排出された記録媒体Ｐがユーザーに回収されるまで、記録媒体Ｐを待機させる。なお、後述する制御部３２５により、記録媒体Ｐがシリンダー３１１を介して排出部３３に排出されるか、スイッチバック部３１５に搬送されるかが制御される。
【００９２】
また、排出部３３は、記録媒体Ｐを待機させるためのメイントレー３３ａとは別個に設けられたサブトレー３３ｂを備えていてもよい。制御部３２５は、排出切替ガイド３１３を制御して、記録媒体Ｐをメイントレー３３ａに排出するか、サブトレー３３ｂに排出するか排出先を切り替える。
【００９３】
次に、インクジェット記録装置３０の主要構成について、図９を参照しながら説明する。
インクジェット記録装置３０は、例えば、設定部３２１、Ｉ／Ｆ３２２、制御部３２５及び表示部３２６等が本体部３１に備えられている。
【００９４】
設定部３２１は、インクジェット記録装置３０の動作に係る各種の設定のための入力に用いられるボタン、キー、タッチパネル等の入力装置を有し、当該入力装置に対するユーザーの操作に応じた設定内容に対応する信号を制御部３２５に出力する。
具体的には、設定部３２１は、例えば、ユーザーの操作に応じて、画像形成部３０２による画像の形成を記録媒体Ｐの片面又は両面の何れに行うかを設定するための信号を制御部３２５に出力する。
【００９５】
Ｉ／Ｆ３２２は、例えば、コントローラー２０と制御部３２５との間でデータのやり取りを行うためのインターフェイスであり、画像形成部３０２により形成される画像の元となる画像データを取得する。
【００９６】
制御部３２５は、インクジェット記録装置３０の各部の動作を制御する。
具体的には、制御部３２５は、例えば、ＣＰＵ、ＲＡＭ、ＲＯＭ等を有する。
ＣＰＵは、ＲＯＭ等の記憶装置から処理内容に応じた各種のプログラムやデータ等を読み出して実行し、実行された処理内容に応じてインクジェット記録装置３０の各部の動作を制御する。ＲＡＭは、ＣＰＵにより処理される各種のプログラムやデータ等を一時的に記憶する。ＲＯＭは、ＣＰＵ等により読み出される各種のプログラムやデータ等を記憶する。
また、制御部３２５は、ヘッドユニット３０２ａのヘッドアライメント処理、繋ぎ部処理、不吐出ノズル設定処理及びノズル欠補正処理を行なったり、コントローラー２０からの画像データに対してハーフトーン処理を行なったりする。
【００９７】
表示部３２６は、制御部３２５の制御下で、インクジェット記録装置３０の動作に係る各種の表示を行う。
具体的には、表示部３２６は、例えば、タッチパネル形式による入力を行うための入力装置と一体的に設けられたＬＣＤ等の表示装置を有し、当該表示装置により各種の表示を行う。なお、ＬＣＤは、あくまで表示装置の一例であり、他の表示装置（例えば、有機ＥＬ（Electro-Luminescence）ディスプレイ等）であってもよい。
【００９８】
本実施の形態に係るインクジェット記録装置３０では、上述したように、記録媒体Ｐの表面に対して画像を形成した後、スイッチバック部３１５によって記録媒体Ｐの表裏を反転させた後、裏面に対して画像を形成することが可能となっている。
【００９９】
このような工程を経る場合、例えば、図１０（Ａ）に示すように、所定の画像サイズである表面画像データに基づいて、記録媒体Ｐの表面に形成した画像は、照射部３０３によるインクの硬化の過程で記録媒体Ｐが収縮し、表面画像は、例えば、図１０（Ｂ）に示すように収縮して表されるようになる。記録媒体Ｐの収縮率は、使用する用紙の種別、用紙の加熱温度、インクの種類、インクの加熱温度及び記録媒体Ｐの表面全体に対するインクの吐出量を示すドット率によって異なっている。また、使用する用紙の種別によっては、縦方向と横方向とで収縮率が異なる。
【０１００】
そのため、本実施の形態では、記録媒体Ｐの収縮率を考慮して、図１１（Ａ）に示すように、記録媒体Ｐの裏面に形成する画像の裏面画像データを変倍処理部２１１ｃにより予め縮小する。
【０１０１】
裏面画像データの縮小は、例えば、図１２に示す裏面変倍率テーブルに基づいて行われる。これらのテーブルは、例えば、コントローラー２０の記憶部２０６に予め記憶されている。
【０１０２】
図１２（Ａ）は、使用する記録媒体Ｐの種類毎の幅方向（横方向）と長さ方向（縦方向）のそれぞれの収縮率を考慮して縮小率が設定された紙種別裏面変倍率テーブルである。縮小率は、記録媒体Ｐの性質により、幅方向と長さ方向とで異なっている。なお、幅方向と長さ方向とで縮小率が同一であるテーブルとしてもよい。図１２（Ａ）に示すように、例えば、記録媒体Ｐとしてコート紙Ａが用いられる場合には、裏面画像データを幅方向で−０．０４％、長さ方向で−０．０８％縮小させる。また、記録媒体Ｐとしてコート紙Ｂが用いられる場合には、裏面画像データを幅方向で−０．０９％、長さ方向で−０．０５％縮小させる。また、記録媒体Ｐとしてアート紙Ａが用いられる場合には、裏面画像データを幅方向で−０．０７％、長さ方向で−０．１２％縮小させる。また、記録媒体Ｐとしてアート紙Ｂが用いられる場合には、裏面画像データを幅方向で−０．０８％、長さ方向で−０．０６％縮小させる。また、記録媒体Ｐとして上質紙Ａが用いられる場合には、裏面画像データを幅方向で−０．１３％、長さ方向で−０．１４％縮小させる。また、記録媒体Ｐとして上質紙Ｂが用いられる場合には、裏面画像データを幅方向で−０．０８％、長さ方向で−０．１４％縮小させる。なお、使用する記録媒体の種類は上述したものに限定されず、また、縮小率も使用する記録媒体の性質に応じて適宜設定されるものである。また、例えば、使用するインクの種類や記録媒体の種類等によりヒーター３０５による記録媒体への加熱温度を変化させる場合に、その加熱温度に応じて縮小率を設定するようにしてもよい。
【０１０３】
図１２（Ｂ）は、ヘッドユニット３０２ａから吐出するインクの種類に応じて縮小率が設定されたインク種別裏面変倍率テーブルである。図１２（Ｂ）に示すように、例えば、インクＡが用いられる場合には、裏面画像データを幅方向及び長さ方向でそれぞれ−０．０４％縮小させる。また、インクＢが用いられる場合には、裏面画像データを幅方向及び長さ方向でそれぞれ−０．０６％縮小させる。なお、縮小率は、使用するインクの熱履歴等を考慮して適宜設定することができる。また、例えば、使用するインクの種類や色によってインクヒーター３７３によるインクへの加熱温度を変化させる場合に、その加熱温度に応じて縮小率を設定するようにしてもよい。
【０１０４】
図１２（Ｃ）は、上述したドット率に応じて縮小率が設定されたドット率別裏面変倍率テーブルである。図１２（Ｃ）に示すように、例えば、ドット率が３０％である場合には、裏面画像データを幅方向及び長さ方向でそれぞれ−０．０１％縮小させる。また、ドット率が５０％である場合には、裏面画像データを幅方向及び長さ方向でそれぞれ−０．０５％縮小させる。また、ドット率が８０％である場合には、裏面画像データを幅方向及び長さ方向でそれぞれ−０．１２％縮小させる。また、ドット率が１００％である場合には、裏面画像データを幅方向及び長さ方向でそれぞれ−０．１５％縮小させる。なお、テーブルに記述がないドット率については、例えば、テーブルに記述された当該ドット率の前後のドット率に対応する縮小率を補間して当該ドット率に対応する縮小率を求めるようにしてもよい。例えば、ドット率が６０％の縮小率は、ドット率５０％の縮小率とドット率８０％の縮小率とを補間して求めることができる。
【０１０５】
なお、紙種別裏面変倍率テーブルにインク種別裏面変倍率テーブル及びドット率別裏面変倍率テーブルを適用する場合には、例えば、記録媒体Ｐの種類に対応する縮小率に、インクの種類及びドット率に対応する縮小率に応じた係数を乗ずるようにして紙種別、インク種別及びドット率が考慮された縮小率を求めることができる。
【０１０６】
また、本実施の形態では、上述したように、予め裏面変倍率テーブルを作成しておいてもよいが、例えば、インクジェット記録装置３０の画像形成部３０２により記録媒体Ｐの表面に所定の画像サイズのチャート画像を形成し、これを読取部３０４にて読み取って、チャート画像の画像サイズを検出し、その検出結果からチャート画像の収縮率を求め、これに基づいて裏面変倍率テーブルを生成するようにしてもよい。
【０１０７】
上述したようにして裏面画像データを縮小すると、裏面画像データの画像サイズが表面画像を形成したときに使用した表面画像データの画像サイズよりも小さくなってしまう。そのため、本実施の形態では、図１１（Ｂ）に示すように、縮小した裏面画像データの画像サイズを表面画像データの画像サイズに整合させるように、縮小した裏面画像データの周囲に、印刷を行わない白画像のデータからなる余白領域Ｑを付加することにより、裏面画像データの補正を行う。この処理は、上述した画像補正部２１１ｄによって行われる。これにより、インクジェット記録装置３０において、表面と裏面とで画像サイズが異なることを意識させないようにすることができるので、ハードウェア構成の変更が不要であり、また、画像サイズが異なることによる設定の切り替えが不要となるため、印刷速度の低下を抑制することができるようになる。例えば、インクジェット記録装置３０において、記録媒体の搬送方向に対して交差する方向における記録画像の幅（長さ）よりも、記録ヘッドの幅の方が長くなっており、ノズル列も同様に記録画像の幅よりも長くなっている場合、全ノズルに対して吐出か不吐出かを設定する必要があるので、ＲＩＰ処理部２１１側から入力された画像データの画像サイズに合わせて画像データの存在しない領域に対応するノズルを不吐出ノズルと設定する必要がある。ここで、本実施の形態のように、画像補正部２１１ｄによる余白領域を付加する処理を行わないと、表面と裏面で画像サイズが異なるので、インクジェット記録装置３０（ハードウェア）で上述の吐出／不吐出を設定する処理を表面と裏面とで別途行う必要があり、処理が煩雑となる。一方、上述した不吐出ノズルの設定を行う前に余白領域を付加する処理を行っておくと、表面と裏面とが同じ画像サイズなので、インクジェット記録装置３０（ハードウェア）で上述した吐出／不吐出を設定する処理を行う必要がなく、表面の設定をそのまま適用することができるので、ノズルの吐出／不吐出の設定の切り替えが不要であり、印刷速度の低下を防止することができる。また、表面の設定をそのまま適用することができるので上述した切り替えに必要なハードウェア構成（回路）を用意する必要がなく、コストアップを抑制することができる。
【０１０８】
次に、上述した裏面変倍率テーブルの作成要領について、図１３を参照しながら説明する。この処理は、表面チャート画像を形成する記録媒体の種類毎、インクの種類毎に実施される。なお、記録媒体の加熱温度やインクの加熱温度毎にこの処理を実施するようにしてもよい。また、表面チャート画像については、ドット率を変更させながら複数出力する。
【０１０９】
まず、インクジェット記録装置３０の制御部３２５は、所定の画像サイズの表面チャート画像を画像形成部３０２により記録媒体Ｐの表面に形成させる（ステップＳ１０１）。制御部３２５は、読取部３０４によって記録媒体Ｐの表面に形成された表面チャート画像を読み取る（ステップＳ１０２）。制御部３２５は、読み取った表面チャート画像から当該表面チャート画像の画像サイズを検出する（ステップＳ１０３）。制御部３２５は、検出した画像サイズから記録媒体Ｐの収縮率を算出する（ステップＳ１０４）。制御部３２５は、算出した収縮率に基づいて上述した裏面変倍率テーブルを作成する（ステップＳ１０５）。作成された裏面変倍率テーブルは、例えば、Ｉ／Ｆ３２２を介してコントローラー２０に出力される。コントローラー２０に入力された裏面変倍率テーブルは、記憶部２０６に記憶される。
【０１１０】
次に、記録媒体Ｐの両面に画像を形成するための画像データを生成する処理について、図１４を参照しながら説明する。この処理は、コントローラー２０のＣＰＵ２０１により実行される処理である。
【０１１１】
まず、ＣＰＵ２０１は、ＲＩＰ処理部２１１のＰＤＬ解析処理部２１１ａを機能させて、記録媒体Ｐの表面に形成する表面画像に係る表面ページデータの解析を行い、中間データを生成する（ステップＳ２０１）。次に、ＣＰＵ２０１は、画像処理部２１１ｂを機能させて、中間データに基づいて表面画像データを生成する（ステップＳ２０２）。このとき、必要に応じて、変倍処理部２１１ｃによる画像データの縮小・拡大処理や、画像補正部２１１ｄによる余白領域を付加する処理を行うようにしてもよい。次に、ＣＰＵ２０１は、色変換部２１１ｅを機能させて、色変換を行う色変換処理を実行する（ステップＳ２０３）。ＣＰＵ２０１は、以上のようにして生成された表面画像データをインクジェット記録装置３０に出力する（ステップＳ２０４）。
【０１１２】
続いて、ＣＰＵ２０１は、ＰＤＬ解析処理部２１１ａを機能させて、記録媒体Ｐの裏面に形成する裏面画像に係る裏面ページデータの解析を行い、中間データを生成する（ステップＳ２０５）。次に、ＣＰＵ２０１は、画像処理部２１１ｂを機能させて、中間データに基づいて裏面画像データを生成する（ステップＳ２０６）。ＣＰＵ２０１は、変倍処理部２１１ｃを機能させて、裏面変倍率テーブルを用いて裏面画像データの縮小を行う裏面画像データ変倍処理を実行する（ステップＳ２０７）。ＣＰＵ２０１は、画像補正部２１１ｄを機能させて、縮小した裏面画像データに余白領域を付加して画像サイズを表面画像データと同じにする画像補正処理を実行する（ステップＳ２０８）。その後、ＣＰＵ２０１は、色変換部２１１ｅを機能させて、色変換を行う色変換処理を実行する（ステップＳ２０９）。ＣＰＵ２０１は、以上のようにして生成された裏面画像データをインクジェット記録装置３０に出力する（ステップＳ２１０）。
【０１１３】
以上説明したように、本実施の形態によれば、ＣＰＵ２０１は、ページデータから表面画像を形成するための所定の画像サイズの表面画像データを生成するとともに、表面画像を形成したときに生じる記録媒体Ｐの収縮率から特定される縮小率で表面画像データの画像サイズよりも縮小した裏面画像を形成するための裏面画像データをページデータから生成する。ＣＰＵ２０１は、縮小された裏面画像データの画像サイズが表面画像データの画像サイズと同じになるように、裏面画像データに余白領域を付加する。その結果、印刷エンジンにおいて、表面と裏面とで画像サイズが異なることによる各種設定の切り替えが不要となり、ハードウェア構成の変更が不要となってコストアップを抑え、また、設定の切り替えのために印刷速度を低下させる必要がないので、生産性の低下を抑制して、仕上がりを良好にすることができるようになる。
【０１１４】
また、本実施の形態によれば、ＣＰＵ２０１は、表面画像を形成したときに生じる記録媒体Ｐの長さ方向の収縮率及び幅方向の収縮率からそれぞれ特定される長さ方向の縮小率及び幅方向の縮小率で表面画像データの画像サイズよりも縮小した裏面画像データを生成する。その結果、記録媒体の性質に応じて適切に裏面画像データを縮小することができる。
【０１１５】
また、本実施の形態によれば、ＣＰＵ２０１は、画像形成する記録媒体Ｐの種類に応じて縮小率を特定する。その結果、記録媒体の種類によって異なる記録媒体の収縮率に応じて適切に裏面画像データを縮小することができる。
【０１１６】
また、本実施の形態によれば、ＣＰＵ２０１は、画像形成する記録媒体Ｐの温度に応じて縮小率を特定する。その結果、記録媒体への加熱温度によって異なる記録媒体の収縮率に応じて適切に裏面画像データを縮小することができる。
【０１１７】
また、本実施の形態によれば、ＣＰＵ２０１は、記録媒体Ｐにおける表面画像を構成するドット率に応じて縮小率を特定する。その結果、インクの使用量に応じて異なる記録媒体の収縮率に応じて適切に裏面画像データを縮小することができる。
【０１１８】
また、本実施の形態によれば、ＣＰＵ２０１は、記録媒体Ｐに吐出するインクの温度に応じて縮小率を特定する。その結果、使用するインクへの加熱温度によって異なる記録媒体の収縮率に応じて適切に裏面画像データを縮小することができる。
【０１１９】
なお、本発明の実施の形態における記述は、本発明に係る画像処理装置の一例であり、これに限定されるものではない。画像処理装置を構成する各機能部の細部構成及び細部動作に関しても適宜変更可能である。
【０１２０】
また、本実施の形態では、１ページ分のページデータの解析を行い、画像データを生成するようにしたが、例えば、１ページ分のページデータを複数のバンドに分割し、バンド毎に画像データ化し、縮小し、余白領域を付加するようにしてもよい。例えば、裏面ページデータを解析する際に、記録媒体Ｐの搬送方向に４つのバンドに分割し、それぞれについて画像データを作成し、裏面変倍率テーブルを用いて裏面画像データの縮小を行うと、図１５（Ａ）に示すように、裏面画像データはバンドＢ１〜Ｂ４に分割して表される。そして、図１５（Ｂ）に示すように、画像補正部２１１ｄにより、バンドＢ１には裏面画像データの先端部分と両側端部分にそれぞれ余白領域Ｑ１が付加され、バンドＢ２には裏面画像データの両側端部分にそれぞれ余白領域Ｑ２が付加され、バンドＢ３には裏面画像データの両側端部分にそれぞれ余白領域Ｑ３が付加され、バンドＢ４には裏面画像データの後端部分と両側端部分にそれぞれ余白領域Ｑ４が付加される。
【０１２１】
すなわち、上記実施の形態によれば、ＣＰＵ２０１は、ページデータに基づいてページを複数のバンドに分割してバンド単位で画像データの生成処理を行うことにより画像データを生成する。ＣＰＵ２０１は、バンド単位で裏面画像データに余白領域を付加する。その結果、メモリ容量を小さくして画像データを生成することができるので、コストの削減を図ることができるようになる。
【０１２２】
また、本実施の形態では、画像データの中心を基準として裏面画像データを縮小させるようにしたが、実際には、記録媒体Ｐは、先端近傍がドラム３０１ａの爪部３５１に挟持されるので、図１６（Ａ）に示すように、表面画像が形成された記録媒体Ｐが挟持位置Ｒを爪部３５１にて挟持された場合には、表面画像は、図１６（Ｂ）に示すように、挟持位置Ｒから先端までの領域を第１の領域Ｙ１とし、挟持位置Ｒから後端までの領域を第２の領域Ｙ２とした場合、挟持位置Ｒを基準として第１の領域Ｙ１及び第２の領域Ｙ２がそれぞれ収縮する。
【０１２３】
そこで、図１７（Ａ）に示すように、第１の領域Ｙ１及び第２の領域Ｙ２について、それぞれ裏面変倍率テーブルを適用し、挟持位置Ｒを基準として裏面画像データの縮小をそれぞれ行った後、図１７（Ｂ）に示すように、裏面画像データの画像サイズを表面画像データの画像サイズと同一にするために、第１の領域Ｙ１及び第２の領域Ｙ２のそれぞれについて、縮小した量に応じた余白領域Ｑを付加するようにしてもよい。このとき、第１の領域Ｙ１と第２の領域Ｙ２とで縮小率を異ならせるようにしてもよい。
【０１２４】
すなわち、上記実施の形態によれば、ＣＰＵ２０１は、爪部３５１により挟持される位置を基準として第１の領域Ｙ１及び第２の領域Ｙ２をそれぞれ所定の縮小率で縮小した裏面画像データを生成する。ＣＰＵ２０１は、第１の領域Ｙ１及び第２の領域Ｙ２について、それぞれ縮小した量に応じた余白領域を付加する。その結果、画像形成ドラムの外周面上に供給された記録媒体の端部を画像形成ドラムの回転方向とは垂直の方向に延びた爪部により挟持することによって記録媒体を画像形成ドラムに保持させ、画像形成ドラムに保持された記録媒体に画像を形成するインクジェット記録装置において、より適正な画像を形成させることができるので、画質の低下を抑制することができるようになる。
【０１２５】
また、本実施の形態では、裏面変倍率テーブルとして、紙種別、インク種別及びドット率別のものを用いるようにしたが、何れか１つ又は２つのみを用いるようにしてもよい。また、紙種別、インク種別及びドット率別に限らず、他の要素に基づく裏面変倍率テーブルを用いるようにしてもよい。
【０１２６】
また、本実施の形態では、シングルパスタイプのインクジェット記録装置に適用したが、いわゆるフラットベッド型のインクジェット記録装置に適用することもできる。すなわち、記録媒体を反転して両面に画像を形成することができる態様であれば、何れのタイプのインクジェット記録装置にも適用することができる。
【０１２７】
また、本実施の形態では、縮小した裏面画像データに余白領域を付加して裏面画像データの画像サイズが表面画像データの画像サイズと同一になるように画像データの補正を行うようにしたが、例えば、表面画像データの画像サイズと同一の白画像データに縮小した裏面画像データを重畳するように合成して表面画像データの画像サイズと同一の画像サイズである裏面画像データを生成するようにしてもよい。
【０１２８】
また、本実施の形態では、インクジェット記録装置３０とコントローラー２０とが別体となって構成されていたが、インクジェット記録装置３０がコントローラー２０を有する構成であってもよい。
【符号の説明】
【０１２９】
２０  コントローラー（画像処理装置）
３０  インクジェット記録装置
２０１  ＣＰＵ（画像処理部、画像補正部）
２１１  ＲＩＰ処理部
２１１ｃ  変倍処理部
２１１ｄ  画像補正部
３０１  搬送部
３０１ａ  ドラム（画像形成ドラム）
３０２  画像形成部
３０３  照射部
３０４  読取部
３１５  スイッチバック部
３２５  制御部
３５１  爪部
【図１】
2015116709.tif 000003
【図２】
2015116709.tif 000004
【図３】
2015116709.tif 000005
【図４】
2015116709.tif 000006
【図５】
2015116709.tif 000007
【図６】
2015116709.tif 000008
【図７】
2015116709.tif 000009
【図８】
2015116709.tif 000010
【図９】
2015116709.tif 000011
【図１０】
2015116709.tif 000012
【図１１】
2015116709.tif 000013
【図１２】
2015116709.tif 000014
【図１３】
2015116709.tif 000015
【図１４】
2015116709.tif 000016
【図１５】
2015116709.tif 000017
【図１６】
2015116709.tif 000018
【図１７】
2015116709.tif 000019